(57)【要約】【課題】同一のレーザ露光装置を複数個直列に配置することにより、小型化と低コスト化が可能な広幅のレーザ露光システムおよびそれを備えた画像形成装置を提供する。【解決手段】回転する被走査媒体の回転軸１１に沿う連続した主走査領域を、複数個配置したレーザ露光装置１がそれぞれ直列に分担して走査し、連続した画像情報を被走査媒体に書き込むレーザ露光システムにおいて、複数個のレーザ露光装置１は全て同一のレーザ露光装置であり、レーザ露光装置１から前記被走査媒体に向けてレーザビームが射出される各レーザ露光装置の射出口８が、１つの直線１１に沿うように複数個のレーザ露光装置１を配列する。【選択図】      図２
2004151241.tif 000002
【特許請求の範囲】
【請求項１】
回転する被走査媒体の回転軸に沿う連続した主走査領域を、複数個配置したレーザ露光装置がそれぞれ直列に分担して走査し、連続した画像情報を被走査媒体に書き込むレーザ露光システムにおいて、前記複数個のレーザ露光装置は同一のレーザ露光装置であり、前記レーザ露光装置から前記被走査媒体に向けてレーザビームが射出される各レーザ露光装置の射出口が、１つの直線に沿うように前記複数個のレーザ露光装置が配列されることを特徴とするレーザ露光システム。
【請求項２】
前記１つの直線に沿うように配列されたレーザ露光装置は、隣り合うレーザ露光装置が対向するように千鳥型に配列されていることを特徴とする請求項１に記載のレーザ露光システム。
【請求項３】
前記複数個のレーザ露光装置の隣り合う露光装置は、被走査媒体上において、それぞれ逆方向に走査することを特徴とする請求項１または請求項２に記載のレーザ露光システム。
【請求項４】
前記１つの直線に沿うように配列されたレーザ露光装置は、隣り合うレーザ露光装置が同じ方向に配列されていることを特徴とする請求項１に記載のレーザ露光システム。
【請求項５】
前記複数個のレーザ露光装置は、被走査媒体上を同一方向に走査することを特徴とする請求項１または請求項４に記載のレーザ露光システム。
【請求項６】
請求項１乃至請求項５のいずれかに記載のレーザ露光システムを備えた画像形成装置。
【発明の詳細な説明】
【０００１】
【発明の属する技術分野】
本発明は、同一のレーザ露光装置を複数個配列してなるレーザ露光システムとそれを備えた画像形成装置に関する。
【０００２】
【従来の技術】
複写機やプリンタ及びファクシミリなどの画像形成装置には、被記録媒体である用紙などに直接画像を形成する直接画像形成方式と、感光体などからなる中間媒体に一旦画像を記録し、その画像を最終的な被記録媒体に転写する間接画像形成方式とがある。家庭などにおける小規模な使用を除けば、被記録媒体に普通紙を使用できる間接画像形成方式の画像形成装置が広く使用されている。
【０００３】
また、複写機などの画像形成装置では、従来、アナログ画像情報をアナログ画像形成プロセスを用いて記録形成していたが、最近の情報のデジタル化に伴い、デジタル画像形成プロセスを用いてデジタル情報として処理し、被記録媒体に微小なドット（ピクセル）からなる画像を形成することが一般的に行われている。
【０００４】
このような画像形成装置では、微小なドットの集合で形成されるデジタル画像情報を、帯電した感光体に微小なドットとして露光して静電潜像を形成する。その後、現像器で粉状のトナーを用いて可視化して、被記録媒体である用紙に転写して画像を形成する。
【０００５】
デジタル画像情報を感光体に露光する装置としては、レーザダイオードなどが発光するレーザ光を、レーザビームとして高速に回転するポリゴンミラーに照射して反射させ、ドラム状の感光体の軸方向に走査（主走査）することにより露光を行うレーザ露光装置がある。また、デジタル画像の１ドットに対応した微小なＬＥＤ（発光ダイオード）を多数個直線状に配列してアレイ状とし、感光体の軸方向に配置して露光を行うＬＥＤアレイ露光装置もある。
【０００６】
通常、デジタル画像の高密度化や処理の高速化の要求に対応するためには、レーザ露光装置のほうが対応しやすく、一般の事務用に利用される画像形成装置にはレーザ露光装置が広く用いられている。反面、被記録媒体として使用される用紙のサイズがＡ３を超えるような広幅サイズの画像形成装置にレーザ露光装置を使用すると、レーザビームの主走査の幅を広くする必要がある。そのため、ポリゴンミラーとレーザビームが照射される走査面、つまり感光体面との距離を大きくする必要があり、その結果、主走査方向の幅と相まって露光装置が非常に大きくなる。同時に、主走査の幅が広いため、走査速度を速くする必要があり、ポリゴンミラーの回転速度や信号の処理速度を大幅に上げなければならない。
【０００７】
これに対して、広幅サイズの画像形成装置にＬＥＤアレイ露光装置を使用すると、主走査幅の長さを持つＬＥＤアレイを感光体に近接して配置すればよく、露光装置の大きさをレーザ露光装置より小さくすることが可能である。しかし、例えば、４００ｄｐｉ（ｄｏｔ  ｐｅｒ  ｉｎｃｈ）や６００ｄｐｉより細密な高解像度画像を露光する場合、そのような高解像度を有するＬＥＤアレイ露光装置を製作することは、ＬＥＤアレイの構造上極めて困難であり、たとえ製作できても極めて高価なものになってしまう。更に、ＬＥＤアレイは微小なＬＥＤの集合体でもあることから、各ＬＥＤの輝度を全て一致させることが極めて困難であり、記録された画像の品質に影響があらわれることも指摘されている。
【０００８】
このように、従来の技術で広幅サイズの高解像度画像形成を行うことは困難がともない、また、非常に高価なものになってしまう。そのため、このようなレーザ露光装置やＬＥＤアレイ露光装置の問題点を克服するため、レーザ露光装置を複数個配列し、主走査幅を各露光装置毎に複数の主走査域に分割することにより主走査を行うことが提案されている。
【０００９】
例えば、特許文献１には２つの異なるレーザ露光装置を配置して、それぞれのレーザ露光装置が主走査を分担して行う技術が開示されている。図６は、その従来技術による画像形成部の上面斜視図である。同図で、符号１００はドラム状の感光体（ドラム）を表し、１０１が第１レーザ露光装置、１１１が第２レーザ露光装置である。第１と第２レーザ露光装置１０１と１１１は、それぞれ、レーザビームを発光するレーザ光源１０３と１１３と、そのレーザビームを主走査方向に走査するように反射するポリゴンミラー１０４と１１４と、ｆθレンズ１０５と１１５と、レーザビームの有無を検出するビームディテクタ１０６と１１６と、前記ｆθレンズ１０５とともにレーザビームを平行光に変換するコンデンサレンズ１０７と１１７とにより構成され、それぞれ筐体１０２と１１２とに収納されている。また、１０８は筐体１０２に設けられたスリット（レーザビームの射出口）で、１０９はハーフミラー、１１９は全反射ミラーである。
【００１０】
上記の構成では、第１レーザ露光装置１０１は第２レーザ露光装置１１１より低い位置に配されている。そのため、第１レーザ露光装置１０１ではスリット１０８を通過したレーザビームはハーフミラー１０９によって反射されて、ドラム１００の面上を照射する。一方、第２レーザ露光装置１１１では、コンデンサレンズ１１７を通過したレーザビームは全反射ミラー１１９により、その光路が９０度下向きになり、ハーフミラー１０９を透過してドラム１００の面上を照射する。この時、ドラム１００の面上における主走査幅のうち、図６に示されているように、主走査領域Ａの走査を第１レーザ露光装置１０１が行い、主走査領域Ｂの走査を第２レーザ露光装置１１１が行う。また、ポリゴンミラー１０４と１１４は、上視すると、それぞれ時計方向と反時計方向に回転している。その結果、第１レーザ露光装置１０１と第２レーザ露光装置１１１は、それぞれドラム１００の中央部から端部に向けて主走査を開始する。
【００１１】
また、特許文献２には２つの異なるレーザ露光部を収納したレーザ露光装置を１つ配置して、それぞれのレーザ露光部が主走査を分担して行う技術が開示されている。図７は、その従来技術による画像形成部の上面斜視図である。なお、図６を参照して説明した部分と同じ動作や機能を担う部分は同じ参照符号を附すことにより、その詳しい説明は省略する。同図では、１つの筐体１０２Ａ内に、第１レーザ露光部１０１Ｂと第２レーザ露光部１１１Ｂとが収納されてレーザ露光装置１０１Ａを構成している。また、第１と第２レーザ露光部１０１Ｂと１１１Ｂは、下記に説明する部分を除いて、その構成と動作は図６に示した第１と第２レーザ露光装置１０１および１１１と同じである。
【００１２】
この場合、２つのレーザ露光部が同一面上に配置されているため、ｆθレンズ１０５又は１１５を通過したレーザビームは、それぞれ、コンデンサレンズ１０７と１１７とにより平行光に変換され、それぞれの全反射ミラー１０９Ａと１１９Ａとにより下向きに９０度光路が変わり、ドラム１００の面上を照射する。また、ポリゴンミラー１０４と１１４は、上視すると、それぞれ時計方向と反時計方向に回転しているため、第１レーザ露光部１０１Ｂと第２レーザ露光部１１１Ｂは、ドラム１００の中央部から端部に向けて、それぞれ主走査を開始する。
【００１３】
【特許文献１】
特開平１０−６８８９９号公報
【特許文献２】
特開平１０−２４６８６１号公報
【００１４】
【発明が解決しようとする課題】
このように、上記特許文献１と特許文献２とによりそれぞれ開示された従来技術は、複数のレーザ露光装置或いはレーザ露光部を、主走査が直列に行われるように配置することにより、レーザ露光方式で広幅の走査を行うことを可能にしている。また、レーザ露光方式を用いることにより、従来のＬＥＤアレイ露光装置の問題でもあった、高解像度化と記録品質の問題をも克服することができる。
【００１５】
しかし、広幅の画像形成装置は、Ａ４やＡ３サイズの用紙が使用される一般事務用画像形成装置とは異なり、特殊業務用や商業用或いは工業図面用などの特別な用途に使用されることが多く、機種毎の数量は一般事務用画像形成装置に比較して限られたものであった。このような特殊な状況にあって、前記した２つの特許文献により開示されている技術のように、複数の異なるレーザ露光装置や、複数の異なるレーザ露光部を収納したレーザ露光装置を、機種毎に設計して製作する必要があった。そのため、一般事務用画像形成装置に使用されるレーザー露光装置と共通化が図れず、また、広幅用画像形成装置においても異なる機種間でレーザー露光装置の共通化が図れない問題もあった。その結果、装置の共通化ができないことに起因する様々な問題が解消されず、とりわけ、レーザ露光装置のコストが高くなり、コストダウンを妨げる大きな要因となっている。
【００１６】
本発明は、斯かる実状に鑑みなされたものであり、同一のレーザ露光装置を複数個、主走査が直列に行われるように配置することにより、小型化と低コスト化が可能になる広幅のレーザ露光システムおよびそれを備えた画像形成装置を提供することを目的とするものである。
【００１７】
【課題を解決するための手段】
上記目的を達成するために、本発明では、回転する被走査媒体の回転軸に沿う連続した主走査領域を、複数個配置したレーザ露光装置がそれぞれ直列に分担して走査し、連続した画像情報を被走査媒体に書き込むレーザ露光システムにおいて、前記複数個のレーザ露光装置は同一のレーザ露光装置であり、前記レーザ露光装置から前記被走査媒体に向けてレーザビームが射出される各レーザ露光装置の射出口が、１つの直線に沿うように前記複数個のレーザ露光装置を配列する。
【００１８】
更に、前記１つの直線に沿うように配列されたレーザ露光装置は、隣り合うレーザ露光装置が対向するように千鳥型に配列されている構成とする。
【００１９】
また、前記複数個のレーザ露光装置の隣り合う露光装置は、被走査媒体上において、それぞれ逆方向に走査する構成とする。
【００２０】
更に、本発明では、前記１つの直線に沿うように配列されたレーザ露光装置は、隣り合うレーザ露光装置が同じ方向に配列されている構成とする。
【００２１】
また、前記複数個のレーザ露光装置は、被走査媒体上を同一方向に走査する構成とする。
【００２２】
前記いずれかのレーザ露光システムを画像形成装置に搭載する。
【００２３】
【発明の実施の形態】
以下、本発明の詳細を図１〜図５に基づいて説明する。先ず、本発明に係るレーザ露光システムを構成するレーザ露光装置の概略構成について、図１に基づき説明する。図１は本発明に係るレーザ露光装置の上面斜視図である。
【００２４】
図１において、参照符号１は、例えば、小型の画像形成装置などに使用されるレーザ露光装置である。その主要構成部品として、２は筐体、３はレーザビームを発光するレーザ光源、４は高速回転してそのレーザビームを反射しながら主走査方向に走査するポリゴンミラー、５はｆθレンズ、６はレーザビームの有無を検出するビームディテクタ、７は前記ｆθレンズ５とともにレーザビームを平行光に変換するコンデンサレンズ、９はコンデンサレンズ７を通過したレーザビームの光路を直角に変更するために設けられた全反射ミラー、８は全反射ミラー９からのレーザビームの光路を感光体などの被走査媒体の照射面に案内するように筐体２に形成されたスリット（射出口）である。
【００２５】
このレーザ露光装置１において、ポリゴンミラー４は、上視すると反時計方向に高速回転している。そのため、レーザ光源３から射出されたレーザービームは、回転するポリゴンミラー４により、ｆθレンズ５の方向に反射される。更に、ポリゴンミラー４の側面は多角形（図１では例として６角形）をなす反射面により構成されているため、レーザビームはポリゴンミラー４の反時計方向の回転とともに、全反射ミラー９の左端から右端に移動しながら主走査を行う。
【００２６】
上記のようなレーザ露光装置１を複数個配置することにより、専用の異なるレーザ露光装置を準備することなく、広幅の主走査が可能な構成を以下の実施形態に基づき説明する。
【００２７】
＜第１実施形態＞
図２は、４つの同一のレーザ露光装置１を直線上に千鳥配列した概略図で、図２（ａ）はその上面図、（ｂ）は左側面図、（ｃ）は部分正面図である。本実施形態では、画像形成装置（不図示）に組み込まれている被走査媒体であるドラム１０のドラム軸１１の上方において、同一の４つのレーザ露光装置１を千鳥に配列する。そして、図２（ａ）に示すように、千鳥に配列されたレーザ露光装置１を図の左からＬＳＵ１、ＬＳＵ２、ＬＳＵ３、ＬＳＵ４と呼称する。この場合、ＬＳＵ１とＬＳＵ３のポリゴンミラー４の存する側を図の下側に向け、ＬＳＵ２とＬＳＵ４のポリゴンミラー４の存する側を図の上側に向ける。更に、ＬＳＵ１〜ＬＳＵ４のスリット８の中心軸（レーザビームが通過する軸）とドラム軸１１とが、平面視で一致するように配列する。
【００２８】
図２（ｂ）に、上記のように配列したＬＳＵ１〜ＬＳＵ４とドラム１０の左側面を図示する。同図で、矢印はレーザビームの光路を表しており、ＬＳＵ１〜ＬＳＵ４の各レーザビームが、それぞれの全反射ミラー９により下向きに反射されて、それぞれのスリット８の中心軸を通過した後、ドラム軸１１の上方でドラム１０の面上に照射しているのがわかる。
【００２９】
図２（ｃ）の正面図では、ＬＳＵ１とＬＳＵ２のみ図示しており、ＬＳＵ３とＬＳＵ４及びドラム１０の右部分は省略している。同図で、ＬＢ１はＬＳＵ１のスリット８を通過した後の主走査範囲の最左端のレーザビームを示し、ＬＢ３はＬＳＵ２の主走査範囲の最左端のレーザビームを示している。同様に、ＬＢ２はＬＳＵ１の主走査範囲の最右端のレーザビームを示し、ＬＢ４はＬＳＵ２の主走査範囲の最右端のレーザビームを示している。この図に示すように、ＬＳＵ１のＬＢ２とＬＳＵ２のＬＢ３がドラム１０の主走査面上で重なり合わないように、且つ、不要な間隙を作らないようにＬＳＵ１〜ＬＳＵ４をドラム軸上に沿って配置する必要がある。
【００３０】
図３は、ＬＳＵ１〜ＬＳＵ４がドラム１０の面上を走査した軌跡を示す図である。この場合、ドラム１０は図２（ｂ）に示すようにＲ方向に回転しているものとする。従って、図３に示す走査の軌跡は、主走査方向のレーザビームによる軌跡に、ドラム１０がＲ方向に回転している場合の副走査方向の軌跡が連動したものになっている。図２（ａ）を参照して説明したようにＬＳＵ１〜ＬＳＵ４をドラム軸上に千鳥に配列し、更に、図２（ｃ）を参照して説明したように隣り合うレーザビーム、例えばＬＢ２とＬＢ３とが重なったり、間隙を作ったりしないようにＬＳＵ１〜ＬＳＵ４をドラム軸に沿って配列すると得られるレーザビームによる走査の軌跡である。
【００３１】
図３では、ＬＳＵ１〜ＬＳＵ４による走査の軌跡を、それぞれＴ１〜Ｔ４とし、ＬＳＵ１〜ＬＳＵ４それぞれによる最左端と最右端の走査で、ドラム１０の面上に形成されるドットの潜像をそれぞれＤ１とＤ２、Ｄ３とＤ４、Ｄ５とＤ６、Ｄ７とＤ８とする。前記したようにＬＳＵ１〜ＬＳＵ４を配列するとともに、全てのレーザ露光装置１、例えばＬＳＵ１〜ＬＳＵ４の主走査の開始タイミングを同期させると同時に、それぞれの主走査幅を一致させる。このような条件を満足させることにより、隣り合うレーザ露光装置１によるドットの潜像、例えばＤ２とＤ３、或いはＤ４とＤ５とが重なり合わず、且つ不要な間隙を作ることなく継ぎ目のないスムーズな走査軌跡を描くことが可能になる。この走査の軌跡Ｔ１〜Ｔ４を現像して可視化し、非記録媒体である用紙上で目視しても同様の効果が得ることができる。
【００３２】
＜第２実施形態＞
図４は、４つのレーザ露光装置１を同一方向に直線上で配列した概略図で、図４（ａ）はその上面図、（ｂ）は左側面図、（ｃ）は部分正面図である。本実施形態では、画像形成装置（不図示）に組み込まれているドラム１０のドラム軸１１の上方において、ドラム軸に沿うように、同一の４つのレーザ露光装置１を同一方向に配列する。そして、図４（ａ）に示すように、同方向に配列されたレーザ露光装置１を図の左からＬＳＵ１、ＬＳＵ２、ＬＳＵ３、ＬＳＵ４と呼称する。この場合、ＬＳＵ１〜ＬＳＵ４を全て同方向に向け、更に、ＬＳＵ１〜ＬＳＵ４のスリット８の中心軸（レーザビームが通過する軸）とドラム軸１１とが、平面視で一致するように配列する。
【００３３】
図４（ｂ）に、上記のように配列したＬＳＵ１〜ＬＳＵ４とドラム１０の左側面を図示する。同図で、矢印はレーザビームの光路を表しており、ＬＳＵ１〜ＬＳＵ４の各レーザビームが、それぞれの全反射ミラー９により下向きに反射されて、それぞれのスリット８の中心軸を通過した後、ドラム軸１１の上方でドラム１０の面上に照射しているのがわかる。
【００３４】
図４（ｃ）の正面図では、ＬＳＵ１とＬＳＵ２のみ図示しており、ＬＳＵ３とＬＳＵ４及びドラム１０の右部分は省略している。同図で、ＬＢ１はＬＳＵ１のスリット８を通過した後の主走査範囲の最左端のレーザビームを示し、ＬＢ３はＬＳＵ２の主走査範囲の最左端のレーザビームを示している。同様に、ＬＢ２はＬＳＵ１の主走査範囲の最右端のレーザビームを示し、ＬＢ４はＬＳＵ２の主走査範囲の最右端のレーザビームを示している。この図に示すように、ＬＳＵ１のＬＢ２とＬＳＵ２のＬＢ３とがドラム１０の主走査面上で重なり合わないように、且つ、不要な間隙を作らないようにＬＳＵ１〜ＬＳＵ４をドラム軸上に沿って配列する必要がある。
【００３５】
図５は、ＬＳＵ１〜ＬＳＵ４がドラム１０の面上を走査した軌跡を示す図である。この場合、ドラム１０は図４（ｂ）に示すようにＲ方向に回転しているものとする。従って、図５に示す走査の軌跡は、主走査方向のレーザビームによる軌跡に、ドラム１０がＲ方向に回転している場合の副走査方向の軌跡が連動したものになっている。図４（ａ）を参照して説明したようにＬＳＵ１〜ＬＳＵ４をドラム軸上に同方向に配列し、更に、図４（ｃ）を参照して説明したように隣り合うレーザビーム、例えばＬＢ２とＬＢ３とが重なったり、間隙を作ったりしないようにＬＳＵ１〜ＬＳＵ４をドラム軸に沿って配列すると得られる走査の軌跡である。
【００３６】
図５では、ＬＳＵ１〜ＬＳＵ４による走査の軌跡を、それぞれＴ１〜Ｔ４とし、ＬＳＵ１〜ＬＳＵ４それぞれによる最左端と最右端の走査でドラム１０の面上に形成されるドットの潜像をＤ１とＤ２、Ｄ３とＤ４、Ｄ５とＤ６、Ｄ７とＤ８とする。前記したようにＬＳＵ１〜ＬＳＵ４を配列するとともに、全てのレーザ露光装置１、例えばＬＳＵ１〜ＬＳＵ４の主走査の開始タイミングを同期させると同時に、それぞれの主走査幅を一致させる。このような条件を満足させることにより、隣り合うドットの潜像、例えばＤ２とＤ３、或いはＤ４とＤ５とが重なり合わず、且つ不要な間隙を作らず、第１実施形態と同様に、継ぎ目のないスムーズな走査軌跡を描くことが可能になる。この走査の軌跡Ｔ１〜Ｔ４を現像して可視化し、非記録媒体である用紙上で目視しても同様の効果が得ることができる。
【００３７】
上記した例では、同一のレーザ露光装置１を４つ使用して広幅サイズの主走査を行う実施形態について説明したが、本発明の主旨は、同一のレーザ露光装置を複数配列することであり、この主旨を逸脱しない限りにおいては、必要な広幅サイズを走査するために、使用するレーザ露光装置の主走査幅や個数は上記の実施形態に限定されるものではない。また、説明したポリゴンミラーやドラムの回転方向は実施形態を説明するための例であり、実際の画像形成装置の構成にあわせて回転方向を決定するため、限定されるものではない。更に、主走査の方向も説明のための例であり、限定されないことは言うまでもない。
【００３８】
【発明の効果】
上記の説明で、例えば、Ａ４サイズの主走査が可能なレーザ露光装置１を４つ、それぞれＬＳＵ１〜ＬＳＵ４として使用するとする。そして、上記したようにＬＳＵ１〜ＬＳＵ４を配置することにより、Ａ４サイズの４倍の幅、すなわちＡ２サイズの幅の主走査が可能となり、Ａ２サイズの広幅画像形成装置に用いることが可能となる。この場合、Ａ２サイズの主走査を可能にする単一のレーザ露光装置に比べ、ポリゴンミラーの回転速度や信号の処理速度を大幅に上げる必要がなく、全体の大きさが格段に小さくできる。同時に、従来技術のように異なる複数のレーザ露光装置を配置する場合より、大幅にコストを削減することが可能になる。
【００３９】
また、直列に配置された複数のレーザ露光装置は同一であり、すなわち、同一の仕様、性能、寸法などを有するため、隣り合うレーザ露光装置の走査ラインの継ぎ目の制御や調整が容易になる。
【００４０】
更に、複数の同一のレーザ露光装置を直列に千鳥配置すると、特別な制御を施すことなく、被走査媒体上で隣り合うレーザ露光装置の走査開始点を実質的に一致させることが可能となり、走査ラインの継ぎ目が可視化された被記録媒体上で認識されにくくなり、記録品質の向上も図ることができる。
【図面の簡単な説明】
【図１】本発明に係るレーザ露光装置の上面斜視図である。
【図２】４つの同一のレーザ露光装置を直線上に千鳥配列した概略図で、（ａ）はその上面図、（ｂ）は左側面図、（ｃ）は部分正面図である。
【図３】ＬＳＵ１〜ＬＳＵ４によるドラム上の走査軌跡を示す図である。
【図４】４つのレーザ露光装置１を同一方向に直線上で配列した概略図で、（ａ）はその上面図、（ｂ）は左側面図、（ｃ）は部分正面図である。
【図５】ＬＳＵ１〜ＬＳＵ４によるドラム上の走査軌跡を示す図である。
【図６】２つの異なるレーザ露光装置を配置した従来技術による画像形成部の上面斜視図である。
【図７】２つの異なるレーザ露光部を備えたレーザ露光装置を配置した従来技術による画像形成部の上面斜視図である。
【符号の説明】
１、１０１、１０１Ａ、１１１  レーザ露光装置
２、１０２、１０２Ａ、１１２  筐体
３、１０３、１１３  レーザ光源
４、１０４、１１４  ポリゴンミラー
５、１０５、１１５  ｆθレンズ
６、１０６、１１６  ビームディテクタ
７、１０７、１１７  コンデンサレンズ
８、１０８          スリット
９、１０９Ａ、１１９  全反射ミラー
１０、１００          ドラム
１１    ドラム軸
１０１Ｂ、１１１Ｂ    レーザ露光部
１０９  ハーフミラー
【図１】
2004151241.tif 000003
【図２】
2004151241.tif 000004
【図３】
2004151241.tif 000005
【図４】
2004151241.tif 000006
【図５】
2004151241.tif 000007
【図６】
2004151241.tif 000008
【図７】
2004151241.tif 000009